(57)【要約】    【課題】  切断機と面取用リーマーとを一体化することにより配管工事の能率向上を図る。    【解決手段】  本考案は、コーンリーマー付きプラスチック管体切断器と称し、握り部２（１ａ，３ａ）と切断部４（１ｂ、５ｂ）とを有する鋏状の切断器のいずれかの握り部における操作に支障を生じない部分に、複数のリーマー刃２１ｂを円錐状に配置してなるコーンリーマー２１を一体に取り付けたものからなる。握り部２を揺動させることによりラチエット機構で押切刃５をグリップレバー１のあご部１ｂに接近させて、塩ビ管Ｐを切断した後、切断口をコーンリーマー２１により内径及び外形の面取加工を行うことができる。独立した面取器を別に携帯し、あるいは作業現場に保管しておく必要がないので、紛失の心配がなく、保管場所まで面取器を取りに行く手間も省けるので、配管作業の能率を向上可能である。    【選択図】  図１
0003129660.tif 000002
【実用新案登録請求の範囲】
【請求項１】
握り部と切断部とを有する鋏状の切断器のいずれかの上記握り部における操作に支障を生じない部分に、複数のリーマー刃を円錐状に配置してなるコーンリーマーを当該切断器と一体に設けてある
ことを特徴とするコーンリーマー付きプラスチック管体切断器。
【考案の詳細な説明】
【技術分野】
【０００１】
本考案は、塩化ビニール管等のプラスチック製パイプの管体を切断した後、続いて切断口に面取加工を施すことができるようにしたコーンリーマー付きプラスチック管体切断器に関するものである。
【背景技術】
【０００２】
水道工事等においては塩化ビニール管（以下「塩ビ管」という）が多く使われているが、これを切断する工具として塩ビ管カッターが使用されている（非特許文献１）。塩ビ管カッターには種々の種類があるが、多くは倍力機構を有する鋏状のものが使われている。このカッターにより塩ビ管を切断すると、バリ等が生じること及び接続する際の嵌合を容易にするために面取器と呼ばれるコーンリーマーで、雌管には内径端部を、雄管では外径端部を面取している（非特許文献１）。面取器は円筒状の外筒内に複数のリーマーカッターを円錐状に配置したものであって、工事従事者は通常別々にこれらの工具を所持し、かつ管理している。
【０００３】
【非特許文献１】アックスボックスプロ工具館ｖｏｌ．３
【考案の開示】
【考案が解決しようとする課題】
【０００４】
しかしながら、上記の面取器は円筒体の内部に複数のリーマー刃を配置したものであるため、形状が使用者の腰ベルト等に吊り下げるのに不向きなものとなっている。したがって、塩ビ管カッターで塩ビ管を切断した後、面取器で切り口を面取りするためには、面取器を置いてある場所から取り出して面取作業をする必要があった。ところが塩ビ管の敷設作業は通常は、場所を移動しながら行われることが多いため、面取をするためには面取器のある場所までこれを取りに行かなければならないことから、作業能率を阻害する原因となっている。また、面取器を作業者の身体から離してあればそれだけ紛失の機会も増えるなどの問題も生じる。
【課題を解決するための手段】
【０００５】
本考案は、上記の課題を解決するために、以下の手段を採用することにより以下の作用効果を生じるようにしたものである。請求項１に記載の考案に係るコーンリーマー付きプラスチック管体切断器は、握り部と切断部とを有する鋏状の切断器のいずれかの握り部における操作に支障を生じない部分に、複数のリーマー刃を円錐状に配置してなるコーンリーマーを一体に設けたものからなる。塩ビ管等を切断したときには、通常、接続容易とするために切り口を面取りすることが行われる。本考案は面取り作業をするための面取器を別に所持する必要がないように、コーンリーマーを一体に取り付けることにより直ちに面取作業を可能にしたものである。これにより配管作業をする際に面取器を特に準備する必要がなく、切断後直ちに面取作業が可能となるので作業能率を向上可能となる。
【考案の効果】
【０００６】
本考案によれば、切断器にコーンリーマーを一体に備えているので、これまで携帯に不便であった面取器を携帯する必要がなくなる。このことは、切断器で塩ビ管等を切断した後、切断器を手放すことなく直ちに面取り作業にかかることができるようになる。また、面取器の置き場所までこれを取りに行く手間も省けるので、配管作業の能率を著しく向上可能となる。
【考案を実施するための最良の形態】
【０００７】
図１は、現在使われている一般的な構造のプラスチック管体切断器（以下「管体切断器」という）について、握り部のアームの側部にコーンリーマーを固着したものを示している。この管体切断機は、外観上は鋏状になっており、内部に倍力機構を備えている。この管体切断器の主な構成要素は、上グリップレバー１、下グリップレバー３及び押切刃５である。下グリップレバー３は、レバー支軸９によって揺動自在に上グリップレバー１に支持されているとともに、復帰ばね１１によって開く方向に付勢されている。押切刃５は、カッター支軸７を介して上グリップレバー１に揺動自在に支持してあり、内端部（図面右方）にラチエット歯部５ａを備えている。下グリップレバー３の内側支軸近傍にはラチエット爪１３が支軸１３ａに揺動自在に支持された状態で設けてある。
【０００８】
押切刃５は、完全に開いた状態から両グリッップレバー１，３を手で握ってレバーを揺動させることにより下グリッップレバー３に設けてあるラチエット爪１３がラチエット歯部５ａを順送りにして押切刃５を上グリップレバー１のあご部１ｂに接近可能としてある。押切刃５の刃部５ｂと上グリッップレバー１のあご部１ｂ（切断部４）の間隔を充分に開いた状態の下に、あご部上に切断しようとする塩ビ管Ｐを直交するようにあてがい、両レバーを揺動させると、ラチエット機構により刃部５ｂがあご部１ｂに接近することによって塩ビ管は切断されるようになっている。切断終了後、両レバー１，３を押し開くとラチエット歯部５ａとラチエット爪１３との係合が解除され、押切刃５は復帰ばね１１によって初期位置に復帰する。
【０００９】
下グリッップレバー３の支軸近傍の外側には、面取器の働きをするコーンリーマー２１がこれと一体に設けてある。コーンリーマー２１は狭い幅の円筒部材２１ａの内周面に、複数枚（図面では６枚）のリーマー刃２１ｂ、…を中心部２１ｃから放射状になるように固着したものからなる。コーンリーマー２１は、各リーマー刃２１ｂが内外部ともに切削可能とする両刃となっている。コーンリーマー２１の切断器への固着手段としては、溶接による接合を採用してある。固着手段にはこの他、ろう付け、接着剤による接合などがある。図２に示すように、コーンリーマー２１のリーマー刃２１ｂ、…は、内外ともに傾斜状になっており、外周部は内径面取加工に、そして内周部は外形面取加工に供せられるようになっている。
【００１０】
コーンリーマーの固着位置は、レバー操作に邪魔にならない場所であればどこでもよい。図３は、コーンリーマー２１を上グリップレバー１の外側に設けた例を示している。図４は、コーンリーマー２１を下グリップレバー３３の中間位置に設けた例を示している。この場合、グリップレバーの長さが少し長くなるが、グリップレバーの最大開き角度を片手で握れる角度にすれば良いので操作に支障を生じる恐れはない。なお、図４の場合、図１とは構成が大きく異なるので、主な要素の符号については図１の符号に３０を加えた数値としてある。
【００１１】
上記の説明において、切断器の構成をいずれも図示のような構造のものとしてあるが、これに拘るものではなく、上下のグリップレバーを備えたものであればどのような構成のものであってもよい。また、コーンリーマーについては、円錐体の最大径の部分を円筒部材で取り囲むようにしてあるが、この円筒部材をなくし、複数のリーマー刃の最大径部分を直接グリップレバーに固着するようにしても良い。また、以上の説明において被加工材は塩ビ管としてあるが、他のプラスチック管であっても当然に適用可能である。
【産業上の利用可能性】
【００１２】
本考案は、配管工具の構成に関するものであり、本考案に係る製品の製造により産業の発展に貢献するものであり、かつ、本製品の使用により配管工事の作業能率を向上可能なものである。
【図面の簡単な説明】
【００１３】
【図１】プラスチック管体を切断している状態を示す側面図である。
【図２】プラスチック管体を面取りしている状態を示す下面図である。
【図３】他の構成を示す側面図である。
【図４】さらに他の構成を示す側面図である。
【符号の説明】
【００１４】
１、３１                上グリップレバー
３、３３                下グリップレバー
２（１ａ，３ａ）        握り部
３２（３１ａ，３３ａ）  握り部
４（１ｂ，５ｂ）        切断部
５                      押切刃
７                      カッター支軸
２１                    コーンリーマー
２１ｂ                  リーマー刃
Ｐ                      プラスチック管体（塩ビ管）
【図１】
0003129660.tif 000003
【図２】
0003129660.tif 000004
【図３】
0003129660.tif 000005
【図４】
0003129660.tif 000006